(57)【要約】【課題】シュレッダーの構造を簡素化し、しかも低コスト化が可能なシュレッダーの分別回収ユニットを提供する。【解決手段】シュレッダー１０に設けられた裁断屑の回収箱５に取り付けられる分別回収ユニット１であって、回収箱５の内部に収容可能であるとともに、上部に開口を有し、裁断屑を回収する回収袋２及び回収容器３と、回収袋２の開口の周縁部を回収箱５の開口近傍に着脱自在に固定する取付具４と、を備え、取付具４は、回収容器３を回収箱５の開口近傍に着脱自在に支持するように構成され、回収容器３は、取付具４に支持された状態で回収袋２の開口の少なくとも一部を塞ぐ第1の位置と、回収袋２よりも下方で回収箱５の内部に着脱自在に収容される第２の位置と、に選択的に配置されるように構成されている。【選択図】図２
2007307454.tif 000002
【特許請求の範囲】
【請求項１】
シュレッダーに設けられた裁断屑の回収箱に取り付けられる分別回収ユニットであって、
前記回収箱の内部に収容可能であるとともに、上部に開口を有し、裁断屑を回収する第１及び第２の回収体と、
前記第１の回収体の開口の周縁部を前記回収箱の開口近傍に着脱自在に固定する取付具と、を備え、
前記取付具は、前記第２の回収体を前記回収箱の開口近傍に着脱自在に支持するように構成され、
前記第２の回収体は、前記取付具に支持された状態で前記第１の回収体の開口の少なくとも一部を塞ぐ第1の位置と、前記第１の回収体よりも下方で前記回収箱の内部に着脱自在に収容される第２の位置と、に選択的に配置されるように構成されている、シュレッダーの分別回収ユニット。
【請求項２】
前記第１の回収体は、袋状に形成され、前記取付具に着脱自在に固定される、請求項１に記載のシュレッダーの分別回収ユニット。
【請求項３】
前記取付具は、前記回収箱の開口周縁の内壁面に沿って延びる枠状に形成され、前記第１の回収体の開口周縁部が固定される固定部と、前記第２の回収体を支持する支持部とを備えている、請求項１または２に記載のシュレッダーの分別回収ユニット。
【発明の詳細な説明】
【技術分野】
【０００１】
本発明は、シュレッダーに設けられた裁断屑の回収箱に取り付けられる分別回収ユニットに関するものである。
【背景技術】
【０００２】
近年、機密情報は紙面に記載されるだけでなく、フレキシブルディスクやコンパクトディスクなどの電子媒体に記録されることが多くなってきている。そのため、機密情報を処分するシュレッダーには、紙を裁断する機能に加え、上述したディスクなどを裁断する機能が要求されている。また、近年環境問題の観点から、単に紙及びディスクなどを裁断できるだけでなく、これらの分別回収の要求もある。
【０００３】
これに対して、例えば、特許文献１に開示されたシュレッダーでは、紙用の投入口とＣＤ用の投入口をそれぞれ設けることで紙とＣＤとを分別して回収している。
【特許文献１】実用新案登録第３１１２３６４号公報
【発明の開示】
【発明が解決しようとする課題】
【０００４】
ところで、上記シュレッダーは、CD等の電子媒体と紙との分別回収を行うためのものであるが、シュレッダーの使用環境によっては、電子媒体の裁断機会は、紙に比べると格段に少ないことがある。したがって、裁断回数の少ない電子媒体のために、紙とは別個の裁断機能を設けることは、シュレッダーの構造を複雑にするだけでなく、コストの観点からも望ましいとはいえなかった。
【０００５】
本発明は、上記問題を解決するためになされたものであり、シュレッダーの構造を簡素化し、しかも低コスト化が可能なシュレッダーの分別回収ユニットを提供することを目的とする。
【課題を解決するための手段】
【０００６】
本発明に係るシュレッダーの分別回収ユニットは、上記課題を解決するためになされたものであり、シュレッダーに設けられた裁断屑の回収箱に取り付けられる分別回収ユニットであって、前記回収箱の内部に収容可能であるとともに、上部に開口を有し、裁断屑を回収する第１及び第２の回収体と、前記第１の回収体の開口の周縁部を前記回収箱の開口近傍に着脱自在に固定する取付具と、を備え、前記取付具は、前記第２の回収体を前記回収箱の開口近傍に着脱自在に支持するように構成され、  前記第２の回収体は、前記取付具に支持された状態で前記第１の回収体の開口の少なくとも一部を塞ぐ第1の位置と、前記第１の回収体よりも下方で前記回収箱の内部に着脱自在に収容される第２の位置と、に選択的に配置されるように構成されている。
【０００７】
この構成によれば、紙及び硬質材料のいずれか一方をそれぞれ回収する第１及び第２の回収体を設け、そのうちの第２の回収体を、第１の回収体の下方、または取付具を介して第１の回収体の開口近傍に選択的に配置できるようにしている。そのため、次のように裁断屑を分別して回収することができる。例えば、紙の裁断屑を第１の回収体で回収し、硬質材料の裁断屑を第２の回収体で回収する場合では、まず、紙を裁断する際は、第２の回収体を第１の回収体の下方で回収箱内に収納し、第１の回収体で紙の裁断屑を回収する。そして、硬質材料を裁断する際は、第２の回収体を取付具により回収箱の開口近傍に支持することで、第２の回収体が第１の回収体の開口の少なくとも一部を塞ぐので硬質材料の裁断屑を第２の回収体で回収することができる。このように、第２の回収体を、回収箱の開口近傍と、第１の回収体の下方との間に選択的に配置することができるので、投入口が一つのみのシュレッダーであっても裁断屑を分別して回収することができ、ひいては、シュレッダーの構造を簡素化して低コスト化を図ることが可能となる。また、紙を裁断する際は、その第２の回収体を第１の回収体の下方で回収箱内に収容することが可能なため、シュレッダーの回収箱内のスペースを有効に活用することができる。なお、紙の裁断屑を第２の回収体内に回収し、硬質材料の裁断屑を第１の回収体内に回収してもよい。
【０００８】
本明細書では、ＤＶＤ、ＣＤ、フレキシブルディスク、ＭＯ、メモリーカードなどの電子媒体の他、プラスチックなどの材料で形成された板材、例えばクレジットカードなど、シュレッダーで裁断可能なものを硬質材料と称することができる。
【０００９】
また、上記第１の回収体を袋状に形成し、この第１の回収体を取付具に着脱自在に固定できるよう構成することが好ましい。ここで、第２の回収体を分別回収のために上述したように移動させるときは、一旦第１の回収体を回収箱から取り外して第２の回収体を上述したように移動させた後に、再度、第１の回収体を回収箱に固定することが考えられる。ここで、袋状の第１の回収体を、開口した状態で取付具に固定させておくと、一旦取り外した第１の回収体を回収箱に固定する際に、第１の回収体を再度開口させるという作業を必要としないため、分別回収の作業性を向上させるという利点がある。また、第１の回収体を直接回収箱に固定するのではなく、一旦取付具に固定してから回収箱に固定することができるため、第１の回収体の交換する際の作業性も向上させることができる。
【００１０】
上記取付具は種々の構成をとることができ、回収箱の開口周縁の内壁面に沿って延びる枠状に形成され、第１の回収体の開口周縁部が固定される固定部と、第２の回収体を支持する支持部とを有するよう構成することができる。このように構成することで、第１の回収体が袋状であれば、その第１の回収体の開口周縁部を枠状の固定部に固定させることで、第１の回収体を開口状態を保持したまま取付具に取り付けることができる。
【発明の効果】
【００１１】
本発明に係るシュレッダーの分別回収ユニットによれば、構造を簡素化させ低コスト化を図ることができる。
【発明を実施するための最良の形態】
【００１２】
以下、本発明に係るシュレッダーの分別回収ユニットを一実施形態について添付図面を参照しつつ説明する。図１は本実施形態に係る分別回収ユニットが取り付けられるシュレッダーの斜視図であり、図２はこの分別回収ユニットの分解斜視図である。
【００１３】
図１に示すように、対象となるシュレッダー１０は、紙またはＣＤ等の硬質材料が投入される一つの投入口１１を備えている。そして、この投入口１１に投入された紙または硬質材料は、内蔵されたカッタによって裁断された後、回収箱５によって裁断片が回収される。本実施形態に係る分別回収ユニット１は、この回収箱５に取り付けられるものであり、後述するように、紙と硬質材料との分別回収を可能にする。より詳細には、図２に示すように、回収袋（第１の回収体）２と回収容器（第２の回収体）３と取付具４とから構成されている。以下、分別回収ユニット１を構成するこれらの部材について説明する。
【００１４】
回収袋２は、その開口の周縁部が回収箱５の開口周縁に沿うことができる程度の大きさのものを使用する。材質としては、ポリエチレンなど使い捨てに適したゴミ袋として公知のものを使用することが、回収袋２の交換作業の点から好ましい。
【００１５】
回収容器３は、上部が開口した直方体で構成されており、開口を上向きにした状態で回収箱５の底面上に配置することができるような大きさに形成されている。材質は、裁断されたＣＤなどで破損しない程度の強度を有していればよく、生産性、コストの観点からプラスチックで形成することが好ましい。
【００１６】
取付具４は、後述するように、回収袋２、或いは回収容器３を固定・支持するものであり、回収袋２を固定する固定部４１と、回収容器３を支持する支持部４２とから構成されている。固定部４１は、矩形の枠状に形成されており、回収箱５の開口近傍の内壁面に沿って設けられた段状の肩部５１の上に載置することができるような大きさとしている。また、固定部４１の一部は上方に湾曲し、湾曲部４１１を構成している。そして、この固定部４１には、一対のコ字状部材４２１から構成された支持部４２が連結されている。各コ字状部材４２１は、下に凸になるように配置され、その両端が固定部４１の対向する辺に連結されている。また、両コ字状部材４２１は、互いに平行に配置され、その間隔は、一対のコ字状部材４２１の上に回収容器３を載置できるように設定される。このように構成された取付具４は、強度や加工性などの観点から金属製のものとすることが好ましい。
【００１７】
以上のように構成された分別回収ユニット１による裁断屑の分別回収方法について、図３及び図４を参照しつつ説明する。図３は、紙を裁断する際の、分別回収ユニット１の回収箱５への取り付け方法を示す説明図であり、図４は、硬質材料を裁断する際の、分別回収ユニット１の回収箱５への取り付け方法を示す説明図である。なお、通常は紙の方がＣＤなどの硬質材料に比べ裁断機会が多いため、本実施形態では、取り替え容易な回収袋２で紙の裁断屑を回収し、回収容器３で硬質材料の裁断屑を回収する場合を説明する。
【００１８】
はじめに、紙を裁断する場合について、図３を参照しつつ説明する。まず、回収箱５をシュレッダー１０から取り外し、この回収箱５の底面に回収容器３を開口を上に向けた状態で配置する（図３（ａ））。
【００１９】
次に、回収袋２と取付具４とを準備し、回収袋２の開口周縁部を一対のコ字状部材４２１の間から入れて取付具４の固定部４１の内側を通す（図３（ｂ））。そして、この固定部４１の内側を通った回収袋２の開口周縁部を固定部４１の外側へ折り返すと、回収袋２の開口周縁部が固定部４１を覆うような状態となる。これにより、回収袋２は、取付具４に開口した状態で固定される（図３（ｃ））。
【００２０】
このように取付具４に固定された回収袋２を、回収箱５に収容する。ここで、回収箱５の内部には回収容器３が既に収容されているため、回収袋２は回収容器３の開口を覆うように回収容器３の上方に配置される（図３（ｄ））。そして、取付具４の固定部４１を回収箱５の肩部５１上に載置すると、固定部４１は回収袋２の開口周縁部で覆われているため、固定部４１と肩部５１とで回収袋２の開口周縁部を挟持することができる。このように、回収容器３が回収箱５の底面に配置された状態が、本発明の第２の位置に相当する。
【００２１】
以上のように回収ユニット１が取り付けられた回収箱５をシュレッダー１０に取り付けて紙の裁断を行うと、回収袋２が回収箱５の開口近傍に開口した状態で取り付けられているため、裁断された紙が回収袋２に回収される。なお、回収袋２が回収容器３の開口を覆うように回収容器３の上方に配置されているために、裁断された紙が回収容器３に回収されることはない。
【００２２】
次に、上記のように紙を裁断した後に硬質材料を裁断する際の、分別回収ユニット１の回収箱５への取り付け方法について図４に基づいて説明する。
【００２３】
まず、回収箱５をシュレッダー１０から取り外す。そして、図３（ｄ）の状態から回収袋２を取付具４に固定したままで回収箱５から取り出し、さらに、回収箱５の底面上に配置している回収容器３を回収箱５から取り出す（図４（ａ））。このとき、固定部４１には、湾曲部４１１が形成されているので、この湾曲部４１１を把持すれば、取付具４を回収箱５から容易に取り出すことができる。
【００２４】
次に、さきほど取り出した回収袋２を再び回収箱５に収容する。つまり、取付具４の固定部４１を回収箱５の肩部５１上に載置し、回収袋２を回収箱５内に設置する（図４（ｂ））。このとき、回収袋２には取付具４が取り付けられたままで開口状態が維持されているので、回収袋２を回収箱５へ取り付ける際に再度回収袋２を開口させる必要がなく、回収袋２の回収箱５への着脱が容易であり作業性がよい。
【００２５】
そして、先ほど回収箱５の底面から取り外した回収容器３を、回収袋２の上から、取付具４の一対のコ字状部材４２１上に載置する（図４（ｃ））。これにより、回収容器３は、回収袋２の開口を塞ぐような状態で回収箱５の開口近傍に支持される。このように、回収容器が取付具上に配置された状態が、本発明の第１の位置に相当する。
【００２６】
このように分別回収ユニット１が取り付けられた回収箱５をシュレッダー１０に取り付けて硬質材料の裁断を行うと、回収容器３が回収箱５の開口近傍に設置されているため、裁断された硬質材料が回収容器３に回収される。なお、回収容器３が回収袋２の開口を塞いでいるために、裁断された硬質材料が回収袋２に回収されることがない。
【００２７】
続いて、硬質材料の裁断が終わり、再度紙を裁断する際は、回収箱５から回収容器３を取り外した後、取付具４とともに収容袋２を取り外す。そして、硬質材料が入った回収容器３を回収箱５の底面上に配置した後、上述した紙を裁断する場合と同様の方法で回収袋２を回収箱５に収容する。なお、硬質材料を一旦捨てて回収容器３内を空にしてから、回収容器３を回収箱５内に収容してもよい。
【００２８】
以上のようにして紙の裁断を繰り返し行うと、回収袋２内が紙の裁断屑でいっぱいになるため、回収袋２内の紙の裁断屑を捨てる必要がある。このときは、まずシュレッダー１０から回収箱５を取り外して、回収箱５から取付具４ごと回収袋２を取り出し、この回収袋２から取付具４を取り外して回収袋２ごと捨てる。そして、新たな回収袋２を取付具４に固定し、上述した紙を裁断する場合と同様の方法で回収ユニット１を回収箱５に取り付ける。そして、回収ユニット１が取り付けられた回収箱５をシュレッダー１０に取り付ける。
【００２９】
以上のように、回収容器３を、回収箱の開口近傍と、回収袋２の下方との間に選択的に配置することができるので、投入口が一つのみのシュレッダーであっても裁断屑を分別して回収することができる。その結果、シュレッダーの構造を簡素化し、低コスト化を図ることが可能となる。また、紙を裁断する際は、その回収容器３を回収袋２の下方で回収箱５内に収容することが可能なため、シュレッダーの回収箱５内のスペースを有効に活用することができる。
【００３０】
以上、本発明の実施形態について説明したが、本発明はこれらに限定されるものではなく、本発明の趣旨を逸脱しない限りにおいて種々の変更が可能である。例えば、上記実施形態では紙を裁断する機会の方が多いものとして説明したが、硬質材料の裁断機会の方が多ければ、紙の裁断屑を回収容器３で回収し、硬質材料の裁断屑を回収袋２で回収してもよい。
【００３１】
また、支持部４２はコ字状部材４２１で構成されているが、回収箱５の底面に収容できるサイズの回収容器３を回収箱５の開口近傍で着脱可能に支持できるものであれば特に限定されるものではなく、例えば、図５に示すように固定部４１から同一方向に延びる複数のＬ字状部材４２１を形成したり、図６に示すように固定部４１の開口内を横架する一対の棒状部材４２１を形成するなど、種々の形態をとることができる。
【００３２】
また、取付具４を回収箱に固定する手段として、上記実施形態では、回収箱５に肩部５１を設け、取付具４の固定部４１を載置するようにしているが、固定部４１を回収箱５に固定できるのであれば、肩部５１以外の構成でも構わない。例えば、回収箱５の内壁に凹部などを形成することで、取付具４の固定部４１と係止させてもよい。なお、固定部４１を回収箱５の開口よりも大きくして固定部４１を回収箱５の開口端上に載置させたり、固定部４１を回収箱５の開口端部に引っ掛けることができるようフック形状に構成したりすることで、肩部５１が形成されていない回収箱５にも取付具４を取り付けることもでき、これによって汎用性を向上させることができる。
【００３３】
また、回収袋２と取付具４とを別個のものとしているが、回収袋２と取付具４とを一体に形成することもできる。また、上記実施形態では、本発明の第１の回収体を回収袋２として構成しているが、これ以外でもよく、種々の形状の回収容器として構成したりすることができる。
【００３４】
さらに、上記実施形態では、回収容器３が回収袋２の開口全面を塞ぐようにして固定部４２に支持されているが、裁断された硬質材料が回収袋２に回収されないように回収袋２の開口の少なくとも一部を塞ぐように支持されていればよく、例えば、回収袋２の開口における投入口１１の真下にあたる部分のみを塞ぐように回収容器３を支持させていてもよい。
【図面の簡単な説明】
【００３５】
【図１】本発明に係る分別回収ユニットが取り付けられたシュレッダーの一実施形態を示す斜視図である。
【図２】本発明に係る分別回収ユニットの一実施形態を示す分解斜視図である。
【図３】紙を裁断する際の分別回収ユニットの回収箱への取り付け方法を示す説明図である。
【図４】硬質材料を裁断する際の分別回収ユニットの回収箱への取り付け方法を示す説明図である。
【図５】本発明に係る分別回収ユニットの別の実施形態を示す斜視図である。
【図６】本発明に係る分別回収ユニットの別の実施形態を示す斜視図である。
【符号の説明】
【００３６】
１  分別回収ユニット
２  回収袋（第１の回収体）
３  回収容器（第２の回収体）
４  取付具
４１  固定部
４２  支持部
５  回収箱
【図１】
2007307454.tif 000003
【図５】
2007307454.tif 000004
【図６】
2007307454.tif 000005
【図２】
2007307454.tif 000006
【図３】
2007307454.tif 000007
【図４】
2007307454.tif 000008